(57)【要約】【課題】復水量に応じて複数のオリフィスを切り換えることのできる小型で安価なオリフィス式スチームトラップを提供する。【解決手段】入口１と円筒状フィルタ４の内周側を連通し、外周側を出口２と連通する。フィルタ４の外周に、小径オリフィス５と中径オリフィス６と大径オリフィス９を設けたオリフィス部材７を配置する。オリフィス部材７とフィルタ４の間の一部に遮断部１２を配置する。オリフィス切換部材８の下方に回転切換部１３を設ける。オリフィス切換部材８を９０度ごと回転させることによって、入口１と出口２を連通するオリフィスを、小径オリフィス５と中径オリフィス６あるいは大径オリフィス９へと切り換えることができる。【選択図】            図１
2004218724.tif 000002
【特許請求の範囲】
【請求項１】
入口と出口の間にオリフィスを配置して、排出する復水量に応じて当該オリフィスの小径オリフィスと大径オリフィスを切り換えるものにおいて、入口と出口を連通する円筒状のフィルタを取り付け、当該フィルタの外周に開口面積の異なる複数のオリフィスを配置して、当該複数のオリフィスとフィルタの間を連通遮断して複数のオリフィスを切り換えるオリフィス切換部材を設け、当該オリフィス切換部材を所定角度回転することによって複数のオリフィスを切り換えることを特徴とするオリフィス式スチームトラップ。
【発明の詳細な説明】
【０００１】
【発明の属する技術分野】
本発明は、蒸気輸送管や蒸気使用機器等で発生する蒸気の凝縮した復水を、比較的小さな径のオリフィスから自動的に外部へ排出するオリフィス式スチームトラップに関し、特に、排出すべき復水量に応じて小径オリフィスと大径オリフィスを切り換えるものに関する。
【０００２】
【従来の技術】
【特許文献１】特許第２７０９５４５号公報
これに開示されたのは、球形オリフィス部材に小径オリフィスと大径オリフィスを開口し、この球形オリフィス部材を回転駆動して切り換える駆動手段を連結すると共に、入口の上流側の液位を検出する液位検出手段を設けて、この液位検出手段の検出液位に応じて小径オリフィスと大径オリフィスを切り換えるものである。
【０００３】
【発明が解決しようとする課題】
上記従来のオリフィス式スチームトラップでは、発生した復水量に応じて小径オリフィスと大径オリフィスを切り換えることによって、発生した復水を滞留することなく外部へ排出することができるが、球形オリフィス部材を回転駆動するための駆動手段、及び、上流側の液位を検出するための液位検出手段を必要として、スチームトラップが大型化し且つ高価なものとなってしまう問題があった。
【０００４】
従って本発明の課題は、小型で安価なオリフィス式スチームトラップを提供することである。
【０００５】
【課題を解決するための手段】
上記の課題を解決するために講じた本発明の手段は、入口と出口の間にオリフィスを配置して、排出する復水量に応じて当該オリフィスの小径オリフィスと大径オリフィスを切り換えるものにおいて、入口と出口を連通する円筒状のフィルタを取り付け、当該フィルタの外周に開口面積の異なる複数のオリフィスを配置して、当該複数のオリフィスとフィルタの間を連通遮断して複数のオリフィスを切り換えるオリフィス切換部材を設け、当該オリフィス切換部材を所定角度回転することによって複数のオリフィスを切り換えるものである。
【０００６】
【発明の実施の形態】
入口と出口を連通するフィルタの外周に複数のオリフィスを配置すると共に、フィルタと複数のオリフィスの間にこの複数のオリフィスを切り換えるオリフィス切換部材を設けたことによって、発生する復水量に応じてオリフィス切換部材を所定角度回転して切り換えることにより、復水を滞留することなく外部へ排出することができる。
【０００７】
【実施例】
図１において、入口１と出口２を設けたトラップケーシング３と、多数の貫通孔を有して異物を捕捉するフィルタ４と、小径オリフィス５と中径オリフィス６と大径オリフィス９を設けたオリフィス部材７と、一部円筒状のオリフィス切換部材８とでオリフィス式スチームトラップを構成する。
【０００８】
トラップケーシング３に設けた入口１と出口２は、ほぼ同一軸上に配置すると共に、円筒状のフィルタ４の内周側を入口１と連通し、外周側を出口２と連通する。フィルタ４は、金属製の漉し網を積層したり、多数の貫通孔を有する発泡金属等で形成する。
【０００９】
フィルタ４の外周に円筒籠状のオリフィス部材７を配置する。オリフィス部材７と円筒状フィルタ４の外周部との接合部１０は、溶接あるいはかしめ等によって一体に形成する。オリフィス部材７には、その円筒側面部の下端部に小径オリフィス５を、中央部に中径オリフィス６を、更に上端部に大径オリフィス９を設けて、フィルタ４を介して入口１と出口２を連通する。但し、図１に示す状態は下端部の小径オリフィス５のみが入口１と出口２を連通しており、中径オリフィス６及び大径オリフィス９はそれぞれ後述するオリフィス切換部材８の遮断部１２によって遮断されている状態を示す。
【００１０】
フィルタ４とオリフィス部材７の間に、下方部が円筒状で、上方部が部分円筒状のオリフィス切換部材８を配置する。オリフィス切換部材８の遮断部１２は、約１４０度の切欠部２１を設ける。また、オリフィス切換部材８の外周は、オリフィス部材７の円筒部内周よりも僅かに小さくすることによって摺動自在とする。
【００１１】
オリフィス切換部材８の中心部に円柱孔１１を形成すると共に、下方外周部に回転切換部１３を形成する。円柱孔１１には円筒状フィルタ４をはめ込み、オリフィス切換部材８を回転することによって、オリフィス切換部材８が所定角度ごとに回転して複数のオリフィス５，６，９を切り換えるものである。
【００１２】
回転切換部１３の部分拡大図を図２に示す。オリフィス切換部材８の外表面に９０度間隔で設けた位置決め凹部１４へ、トラップケーシング３の一部を貫通して配置した鋼球１５の一部分がはまり込んで、オリフィス切換部材８の回転角度を調整することができるものである。鋼球１５の上方には鋼球１５を下方へ押し付けるコイルバネ１６とバネ押え１７をそれぞれ取り付ける。
【００１３】
なお、オリフィス切換部材８は、トラップケーシング３に取り付けた止め輪１８によって回転自在に取り付けられており、端部の二面取り部２０内にマイナス・ドライバー等の工具を挿入して回転することによって、９０度ごとに鋼球１５が凹部１４へはまり込んで回転位置を任意に選択することができる。
【００１４】
入口１から流入してきた復水は、フィルタ４の内周側から外周側へと至る間にゴミや錆等の異物を捕捉され、更に小径オリフィス５から出口２へと流下する。多量の復水が流入してくる場合は、オリフィス切換部材８を回転することによって、中径オリフィス６又は大径オリフィス９を連通してより多くの復水を出口２側へ排出することができる。
【００１５】
本実施例においては、オリフィス部材７に小径オリフィス５と中径オリフィス６と大径オリフィス９を設けた例を示したが、その他の径のオリフィスを設けることもできる。また、各径のオリフィス個数はそれぞれ１個に限ることはなく、２個以上であっても良い。
【００１６】
【発明の効果】
上記のように本発明によるオリフィス式スチームトラップは、円筒状フィルタの外周にオリフィス切換部材を介して複数のオリフィスを設けたことによって、駆動手段や液位検出手段を取り付ける必要もなく、小型で安価なオリフィス式スチームトラップとすることができる。
【図面の簡単な説明】
【図１】本発明のオリフィス式スチームトラップの断面図。
【図２】図１における回転切換部の部分拡大断面図。
【符号の説明】
１    入口
２    出口
３    トラップケーシング
４    フィルタ
５    小径オリフィス
６    大径オリフィス
７    オリフィス部材
８  オリフィス切換部材
９  大径オリフィス
１２  遮断部
１３  回転切換部
【図１】
2004218724.tif 000003
【図２】
2004218724.tif 000004